【手続補正書】
【提出日】平成28年11月21日(2016.11.21)
【手続補正１】
【補正対象書類名】特許請求の範囲
【補正対象項目名】全文
【補正方法】変更
【補正の内容】
【特許請求の範囲】
【請求項１】
ロジンをベースとするはんだフラックスの除去のためのシス−１，１，１−トリフルオロ−３−クロロ−プロペン（シスＨＦＣＯ−１２３３ｚｄ）及びトランス−１，１，１−トリフルオロ−３−クロロ−プロペン（トランスＨＦＣＯ−１２３３ｚｄ）の少なくとも１つを含む溶媒。
【請求項２】
シリコーンオイルを溶解するための、シスＨＦＣＯ−１２３３ｚｄ及びトランスＨＦＣＯ−１２３３ｚｄの少なくとも１つを含む溶媒。
【請求項３】
シリコーンオイルを溶解するための、トランス−１，２−ジクロロエチレンと組み合わせてシスＨＦＣＯ−１２３３ｚｄ及びトランスＨＦＣＯ−１２３３ｚｄの少なくとも１つを含む溶媒。
【請求項４】
溶媒中に存在するＨＦＣＯ−１２３３ｚｄが、トランスＨＦＣＯ−１２３３ｚｄである、請求項１〜３のいずれかに記載の溶媒。
【請求項５】
溶媒が、シスＨＦＣＯ−１２３３ｚｄ及びトランスＨＦＣＯ−１２３３ｚｄの少なくとも１つからなる、請求項１または２のいずれかに記載の溶媒。
【請求項６】
溶媒が、トランス−１，２−ジクロロエチレンと組み合わせてシスＨＦＣＯ−１２３３ｚｄ及びトランスＨＦＣＯ−１２３３ｚｄの少なくとも１つからなる、請求項３に記載の溶媒。
【請求項７】
シスＨＦＣＯ−１２３３ｚｄ及びトランスＨＦＣＯ−１２３３ｚｄの組合せを３０：７０〜５：９５のシス：トランス重量比で含む溶媒であって、前記溶媒が、５００以下の地球温暖化係数（ＧＷＰ）を有する、溶媒。
【請求項８】
シスＨＦＣＯ−１２３３ｚｄ又はトランスＨＦＣＯ−１２３３ｚｄ、並びにトランス−１，２−ジクロロエチレン及び炭化水素からなる群から選ばれる少なくとも１つの追加の成分を含む溶媒であって、前記炭化水素がイソ−ペンタン、ノルマル−ペンタン、シクロ−ペンタン、ブタン、イソ−ブタン又はこれらの組合せであり、前記溶媒は５００以下の地球温暖化係数（ＧＷＰ）を有する、溶媒。
【請求項９】
ＨＦＣＯ−１２３３ｚｄが５重量％〜９９重量％の量で存在する、請求項７又は８に記載の溶媒。
【請求項１０】
ＨＦＣＯ−１２３３ｚｄが５重量％〜９５重量％の量で存在する、請求項９に記載の溶媒。
【請求項１１】
シスＨＦＣＯ−１２３３ｚｄ、トランスＨＦＣＯ−１２３３ｚｄ又はこれらの組合せ、及びＣ１〜Ｃ４アルコールを含む溶媒。
【請求項１２】
前記溶媒が、シスＨＦＣＯ−１２３３ｚｄ、トランスＨＦＣＯ−１２３３ｚｄ又はこれらの組合せ、及びＣ１〜Ｃ４アルコールからなる、請求項１１に記載の溶媒。
【請求項１３】
シスＨＦＣＯ−１２３３ｚｄ及びトランスＨＦＣＯ−１２３３ｚｄが、３０：７０〜５：９５のシス：トランス重量比で存在する、請求項１１又は請求項１２に記載の溶媒。
【請求項１４】
ロジンをベースとするはんだフラックスの除去のためのシス−１，１，１−トリフルオロ−３−クロロ−プロペン（シスＨＦＣＯ−１２３３ｚｄ）及びトランス−１，１，１−トリフルオロ−３−クロロ−プロペン（トランスＨＦＣＯ−１２３３ｚｄ）の少なくとも１つを含む洗浄組成物。
【請求項１５】
シリコーンオイルを洗浄するための、シスＨＦＣＯ−１２３３ｚｄ及びトランスＨＦＣＯ−１２３３ｚｄの少なくとも１つを含む洗浄組成物。
【請求項１６】
シリコーンオイルを洗浄するための、トランス−１，２−ジクロロエチレンと組み合わせてシスＨＦＣＯ−１２３３ｚｄ及びトランスＨＦＣＯ−１２３３ｚｄの少なくとも１つを含む洗浄組成物。
【請求項１７】
組成物中に存在するＨＦＣＯ−１２３３ｚｄが、トランスＨＦＣＯ−１２３３ｚｄである、請求項１４〜１６のいずれかに記載の洗浄剤組成物。
【請求項１８】
洗浄剤組成物が、シスＨＦＣＯ−１２３３ｚｄ及びトランスＨＦＣＯ−１２３３ｚｄの少なくとも１つからなる、請求項１４または１５のいずれかに記載の洗浄剤組成物。
【請求項１９】
洗浄剤組成物が、トランス−１，２−ジクロロエチレンと組み合わせてシスＨＦＣＯ−１２３３ｚｄ及びトランスＨＦＣＯ−１２３３ｚｄの少なくとも１つからなる、請求項１６に記載の洗浄剤組成物。
【請求項２０】
シスＨＦＣＯ−１２３３ｚｄ及びトランスＨＦＣＯ−１２３３ｚｄの組合せを３０：７０〜５：９５のシス：トランス重量比で含む洗浄剤組成物であって、前記洗浄剤組成物が、５００以下の地球温暖化係数（ＧＷＰ）を有する、洗浄剤組成物。
【請求項２１】
シスＨＦＣＯ−１２３３ｚｄ又はトランスＨＦＣＯ−１２３３ｚｄ、並びにトランス−１，２−ジクロロエチレン及び炭化水素からなる群から選ばれる少なくとも１つの追加の成分を含む洗浄剤組成物であって、前記炭化水素がイソ−ペンタン、ノルマル−ペンタン、シクロ−ペンタン、ブタン、イソ−ブタン又はこれらの組合せであり、前記洗浄剤組成物は５００以下の地球温暖化係数（ＧＷＰ）を有する、洗浄剤組成物。
【請求項２２】
ＨＦＣＯ−１２３３ｚｄが５重量％〜９９重量％の量で存在する、請求項２０又は２１に記載の洗浄剤組成物。
【請求項２３】
ＨＦＣＯ−１２３３ｚｄが５重量％〜９５重量％の量で存在する、請求項２２に記載の洗浄剤組成物。
【請求項２４】
シスＨＦＣＯ−１２３３ｚｄ、トランスＨＦＣＯ−１２３３ｚｄ又はこれらの組合せ、及びＣ１〜Ｃ４アルコールを含む洗浄剤組成物。
【請求項２５】
前記洗浄剤組成物が、シスＨＦＣＯ−１２３３ｚｄ、トランスＨＦＣＯ−１２３３ｚｄ又はこれらの組合せ、及びＣ１〜Ｃ４アルコールからなる、請求項２４に記載の洗浄剤組成物。
【請求項２６】
シスＨＦＣＯ−１２３３ｚｄ及びトランスＨＦＣＯ−１２３３ｚｄが、３０：７０〜５：９５のシス：トランス重量比で存在する、請求項２４又は請求項２５に記載の洗浄剤組成物。
【請求項２７】
ロジンをベースとするはんだフラックスの除去のための、シスＨＦＣＯ−１２３３ｚｄ又はトランスＨＦＣＯ−１２３３ｚｄ、及び１〜１０％のＣ１〜Ｃ４アルコールを含む洗浄剤組成物。
【請求項２８】
前記組成物が、シスＨＦＣＯ−１２３３ｚｄ又はトランスＨＦＣＯ−１２３３ｚｄ、及び１〜１０％のＣ１〜Ｃ４アルコールからなる、請求項２７に記載の洗浄剤組成物。
【請求項２９】
Ｃ１〜Ｃ４アルコールがメタノールである、請求項２７又は２８に記載の洗浄剤組成物。
【請求項３０】
トランス１，１，１，３−テトラフルオロプロペン（ＨＦＯ−１２３４ｚｅ）及びトランスＨＦＣＯ−１２３３ｚｄを含む洗浄組成物であって、５００以下の地球温暖化係数（ＧＷＰ）を有する、洗浄組成物。
【請求項３１】
前記組成物が、蒸気脱脂法及び溶剤洗浄法に使用される、請求項３０に記載の洗浄組成物。
【請求項３２】
トランス１，１，１，３−テトラフルオロプロペン（ＨＦＯ−１２３４ｚｅ）及びトランスＨＦＣＯ−１２３３ｚｄを含む熱伝達組成物。
【請求項３３】
前記組成物が、１５０以下の地球温暖化係数（ＧＷＰ）を有する、請求項３０又は３２に記載の組成物。
【請求項３４】
前記組成物が、０．０５以下のオゾン破壊係数（ＯＤＰ）を有する、請求項３０又は３２に記載の組成物。
【請求項３５】
前記組成物が、０．０２以下のオゾン破壊係数（ＯＤＰ）を有する、請求項３４に記載の組成物。
【請求項３６】
トランスＨＦＯ−１２３４ｚｅ及びトランスＨＦＣＯ−１２３３ｚｄが組成物の少なくとも５０重量％の量で存在する、請求項３０又は３２に記載の組成物。
【請求項３７】
トランスＨＦＯ−１２３４ｚｅ及びトランスＨＦＣＯ−１２３３ｚｄが組成物の少なくとも７０重量％の量で存在する、請求項３６に記載の組成物。
【請求項３８】
組成物の１〜９９重量％がトランスＨＦＯ−１２３４ｚｅを構成し、組成物の残りがトランスＨＦＣＯ−１２３３ｚｄである、請求項３０又は３２に記載の組成物。
【請求項３９】
組成物の１〜２０重量％がトランスＨＦＯ−１２３４ｚｅを構成し、組成物の残りがトランスＨＦＣＯ−１２３３ｚｄである、請求項３８に記載の組成物。
【請求項４０】
組成物の８０〜９９重量％がトランスＨＦＯ−１２３４ｚｅを構成し、組成物の残りがトランスＨＦＣＯ−１２３３ｚｄである、請求項３８に記載の組成物。
【請求項４１】
組成物が、トランスＨＦＯ−１２３４ｚｅ及びトランスＨＦＣＯ−１２３３ｚｄから本質的になる、請求項３０又は３２に記載の組成物。
【請求項４２】
トランスＨＦＯ−１２３４ｚｅ及びトランスＨＦＣＯ−１２３３ｚｄが組成物の５重量％〜９９重量％の量で存在する、請求項３０又は３２に記載の組成物。
【請求項４３】
トランスＨＦＯ−１２３４ｚｅ及びトランスＨＦＣＯ−１２３３ｚｄが組成物の５重量％〜９５重量％の量で存在する、請求項４２に記載の組成物。
【請求項４４】
シスＨＦＣＯ−１２３３ｚｄ、トランスＨＦＣＯ−１２３３ｚｄ又はこれらの組合せ、及び１〜２０重量％のメタノール、エタノール、プロパノール、イソプロパノール、ブタノール、イソブタノール又はｔ−ブタノールを含む組成物であって、１５０以下の地球温暖化係数（ＧＷＰ）を有する、組成物。。
【請求項４５】
シスＨＦＣＯ−１２３３ｚｄ、トランスＨＦＣＯ−１２３３ｚｄ又はこれらの組合せが組成物の５重量％〜９９重量％の量で存在する、請求項４４に記載の組成物。
【請求項４６】
シスＨＦＣＯ−１２３３ｚｄ、トランスＨＦＣＯ−１２３３ｚｄ又はこれらの組合せが組成物の５重量％〜９５重量％の量で存在する、請求項４５に記載の組成物。
【請求項４７】
シスＨＦＣＯ−１２３３ｚｄ及びトランスＨＦＣＯ−１２３３ｚｄの組み合わせを３０：７０〜５：９５のシス：トランス重量比で含む組成物を物品に適用することを含む物品から汚染物質を除去する方法であって、前記組成物が５００以下の地球温暖化係数（ＧＷＰ）を有する、方法。
【請求項４８】
シスＨＦＣＯ−１２３３ｚｄ又はトランスＨＦＣＯ−１２３３ｚｄ、並びにトランス−１，２−ジクロロエチレン及び炭化水素からなる群から選ばれる少なくとも１つの追加の成分を含む組成物を物品に適用することを含む物品から汚染物質を除去する方法であって、前記炭化水素がイソ−ペンタン、ノルマル−ペンタン、シクロ−ペンタン、ブタン、イソ−ブタン又はこれらの組合せであり、前記組成物は５００以下の地球温暖化係数（ＧＷＰ）を有する、方法。
【請求項４９】
ＨＦＣＯ−１２３３ｚｄが５重量％〜９９重量％の量で存在する、請求項４７又は４８に記載の方法。
【請求項５０】
ＨＦＣＯ−１２３３ｚｄが５重量％〜９５重量％の量で存在する、請求項４９に記載の方法。
【請求項５１】
前記方法が、蒸気脱脂すること又は溶剤洗浄することを含む、請求項４７又は４８に記載の方法。
【請求項５２】
トランス１，１，１，３−テトラフルオロプロペン（ＨＦＯ−１２３４ｚｅ）及びトランスＨＦＣＯ−１２３３ｚｄを含む噴射剤組成物。
【請求項５３】
前記組成物が、５００以下の地球温暖化係数（ＧＷＰ）を有する、請求項５２に記載の噴射剤組成物。
【請求項５４】
前記組成物が、１５０以下の地球温暖化係数（ＧＷＰ）を有する、請求項５２に記載の噴射剤組成物。
【請求項５５】
前記組成物が、０．０５以下のオゾン破壊係数（ＯＤＰ）を有する、請求項５２に記載の噴射剤組成物。
【請求項５６】
前記組成物が、０．０２以下のオゾン破壊係数（ＯＤＰ）を有する、請求項５５に記載の噴射剤組成物。
【請求項５７】
組成物の１〜９９重量％がトランスＨＦＯ−１２３４ｚｅを構成し、組成物の残りがトランスＨＦＣＯ−１２３３ｚｄである、請求項５２に記載の噴射剤組成物。
【請求項５８】
組成物の１〜２０重量％がトランスＨＦＯ−１２３４ｚｅを構成し、組成物の残りがトランスＨＦＣＯ−１２３３ｚｄである、請求項５７に記載の噴射剤組成物。
【請求項５９】
組成物の８０〜９９重量％がトランスＨＦＯ−１２３４ｚｅを構成し、組成物の残りがトランスＨＦＣＯ−１２３３ｚｄである、請求項５７に記載の噴射剤組成物。
【請求項６０】
組成物が、トランスＨＦＯ−１２３４ｚｅ及びトランスＨＦＣＯ−１２３３ｚｄから本質的になる、請求項５２〜５４のいずれかに記載の噴射剤組成物。
【請求項６１】
トランスＨＦＯ−１２３４ｚｅ及びトランスＨＦＣＯ−１２３３ｚｄが組成物の５重量％〜９９重量％の量で存在する、請求項６０に記載の噴射剤組成物。
【請求項６２】
トランスＨＦＯ−１２３４ｚｅ及びトランスＨＦＣＯ−１２３３ｚｄが組成物の５重量％〜９５重量％の量で存在する、請求項６１に記載の噴射剤組成物。
【請求項６３】
コンタクトクリーナー、ダスター、潤滑剤スプレー、個人用ケア製品、家財製品および
自動車用製品から選ばれる製品における請求項５４に記載の噴射剤組成物。
【請求項６４】
トランス１，１，１，３−テトラフルオロプロペン（ＨＦＯ−１２３４ｚｅ）及びトランスＨＦＣＯ−１２３３ｚｄを含む、エアゾールとしての組成物。
【請求項６５】
トランス１，１，１，３−テトラフルオロプロペン（ＨＦＯ−１２３４ｚｅ）、トランスＨＦＣＯ−１２３３ｚｄ、及び噴霧される材料を含む噴霧可能な組成物。
【請求項６６】
前記噴霧される材料が、化粧品、洗浄溶剤、潤滑剤、医薬物質、薬物、及び生物学的に活性な物質から選ばれる、請求項６５に記載の噴霧可能な組成物。
【請求項６７】
前記化粧品が、消臭剤、香料、及びヘアスプレーから選ばれ、前記医薬物質が、抗喘息薬、ベータ作用薬、コルチコステロイドから選ばれる、請求項６６に記載の噴霧可能な組成物。
【請求項６８】
トランス１，１，１，３−テトラフルオロプロペン（ＨＦＯ−１２３４ｚｅ）及びトランスＨＦＣＯ−１２３３ｚｄを含む噴霧可能な組成物。